(57)【要約】【課題】遊技球貯留空間に貯留された遊技球が取り出しやすい遊技機を提供すること。【解決手段】遊技球を貯留する遊技球貯留空間１０Ｓを形成する部分であって、底面２０Ｍに遊技球が通過する開口２１１が形成された本体部２０と、前記開口２１１を開閉する開閉部３０と、を備え、前記開閉部３０により前記開口２１１が閉鎖された状態において、前記開閉部３０の上面３０Ｍの全体が、前記本体部２０の底面２０Ｍよりも上方に位置することを特徴とする遊技機１とする。【選択図】図２
2020116213.tif 000002
【特許請求の範囲】
【請求項１】
遊技球を貯留する遊技球貯留空間を形成する部分であって、底面に遊技球が通過する開口が形成された本体部と、
前記開口を開閉する開閉部と、
を備え、
前記開閉部により前記開口が閉鎖された状態において、前記開閉部の上面の全体が、前記本体部の底面よりも上方に位置することを特徴とする遊技機。
【発明の詳細な説明】
【技術分野】
【０００１】
本発明は、遊技機に関する。
【背景技術】
【０００２】
一般的なぱちんこ遊技機は、遊技球を貯留する空間を形成する上皿や下皿といった部材を備える（例えば、下記特許文献１参照）。
【先行技術文献】
【特許文献】
【０００３】
【特許文献１】特開２０１６−１８５２７２号公報
【発明の概要】
【発明が解決しようとする課題】
【０００４】
本発明が解決しようとする課題は、遊技球貯留空間に貯留された遊技球が取り出しやすい遊技機を提供することにある。
【課題を解決するための手段】
【０００５】
上記課題を解決するためになされた本発明にかかる遊技機は、遊技球を貯留する遊技球貯留空間を形成する部分であって、底面に遊技球が通過する開口が形成された本体部と、前記開口を開閉する開閉部と、を備え、前記開閉部により前記開口が閉鎖された状態において、前記開閉部の上面の全体が、前記本体部の底面よりも上方に位置することを特徴とする。
【発明の効果】
【０００６】
本発明にかかる遊技機は、遊技球貯留空間に貯留された遊技球が取り出しやすい。
【図面の簡単な説明】
【０００７】
【図１】本実施形態にかかる遊技機を模式的に示した正面図である。
【図２】（ａ）は本実施形態における下皿装置の断面を模式的に示した図、（ｂ）は本実施形態における下皿装置と対比するために参考で示す下皿装置の断面を模式的に示した図である。
【図３】第三具体例を説明するための図である。
【図４】第四具体例を説明するための図である。
【発明を実施するための形態】
【０００８】
以下、本発明にかかる遊技機１（ぱちんこ遊技機）の一実施形態について図面を参照して詳細に説明する。まず、図１を参照して遊技機１の全体構成について簡単に説明する。
【０００９】
遊技機１は遊技盤９０を備える。遊技盤９０は、ほぼ正方形の合板により成形されており、発射装置９６（発射ハンドル）の操作によって発射された遊技球を遊技領域９０１に案内する通路を構成するガイドレール９５が略円弧形状となるように設けられている。
【００１０】
遊技領域９０１には、始動入賞口９２、大入賞口９３、アウト口９４などが設けられている（なお、遊技領域９０１の構成は簡略化している（一部の遊技釘や入賞領域を省略している））。表示装置９１の表示領域９１１は、遊技盤９０に形成された開口９０１ａを通じて視認可能となる領域である。
【００１１】
公知の遊技機と同様に、始動入賞口９２に遊技球が進入することを契機として当否判定（当否抽選）が実行される。表示領域９１１には、当否判定結果を示す図柄（以下、識別図柄８０と称する）が表示される（図１参照）。本実施形態の識別図柄８０は「数字」を含む図柄であるが、当該態様はあくまで一例である。本実施形態では、最終的に示される三つの識別図柄８０の組み合わせにより当否判定結果が当たりであるかどうかが報知される。
【００１２】
また、遊技領域９０１には、流下する遊技球が衝突することにより遊技球の流下態様に変化を与える障害物としての遊技釘が複数設けられている。遊技領域９０１を流下する遊技球は、遊技釘に衝突したときの条件に応じて様々な態様に変化する。
【００１３】
このような遊技機１では、発射装置９６を操作することにより遊技領域９０１に向けて遊技球を発射する。遊技領域９０１を流下する遊技球が、始動入賞口９２や大入賞口９３等の入賞口に入賞すると、所定の数の賞球が払出装置により払い出される。
【００１４】
なお、当否判定の具体的な方法等、本発明に関係のない遊技機１の構成要素や制御態様については説明を省略する。これらについては公知の遊技機と同様の構造のものが適用できる。
【００１５】
本実施形態にかかる遊技機１は、上皿装置７０および下皿装置１０を備える。上皿装置７０自体は公知の構造であるため詳細な説明を省略する。上皿装置７０（図１参照）は、遊技球が貯留される空間（上皿貯留空間）を形成するものである。上皿貯留空間は、上方が開放された空間である。発射装置９６が操作されているときには、当該上皿貯留空間に貯留された遊技球が遊技領域９０１に向かって発射されることになる。また、いわゆる賞球は、上皿貯留空間に払い出される。
【００１６】
下皿装置１０（図１、図２（ａ）参照）は、遊技球が貯留される空間（下皿貯留空間１０Ｓ；本願発明における遊技球貯留空間に相当する）を形成するものである。公知の遊技機と同様に、上皿貯留空間から溢れ出た遊技球が下皿貯留空間１０Ｓに移動することになる。大当たり遊技時等、遊技者が大量の遊技球を獲得したときには、上皿貯留空間から溢れ出た遊技球が下皿貯留空間１０Ｓに集まる。また、上皿装置７０に設けられた球排出スイッチ（図示せず）が操作されたときには、上皿貯留空間内の遊技球が下皿貯留空間１０Ｓに移動する。また、いわゆるファウル球（遊技領域９０１に向かって発射されたが、遊技領域９０１まで到達しなかった（ガイドレール９５を通過しなかった）遊技球）も下皿貯留空間１０Ｓに移動する。これら下皿貯留空間１０Ｓに遊技球が移動するための流路の形状等はどのようなものであってもよい（公知の構造が適用できる）ため説明は省略する。また、各図において、下皿貯留空間１０Ｓに繋がる流路の出口の図示も省略する。
【００１７】
下皿装置１０は、本体部２０および開閉部３０を備える（図２（ａ）参照）。本体部２０は下皿貯留空間１０Ｓを形成する部分である。具体的には、本体部２０は、底面２０Ｍを構成する底壁部分２１、底壁部分２１から上方に向かうように延びる側壁部分２２を有する。当該底壁部分２１および側壁部分２２に囲まれる空間が下皿貯留空間１０Ｓである。なお、下皿貯留空間１０Ｓの上側は、上皿貯留空間の底を構成する部材に覆われている。
【００１８】
本体部２０の手前側（遊技者側）には差し入れ口２３（図１参照）が形成されている。遊技者は、当該差し入れ口２３から手を差し入れることで、下皿貯留空間１０Ｓに貯留されている遊技球を取り出すこと、下皿遊技空間に遊技球を入れることが可能である。下皿貯留空間１０Ｓは、差し入れ口２３が形成された範囲において、手前側に開放された空間であるということもできる。
【００１９】
下皿貯留空間１０Ｓの底面２０Ｍ（底壁部分２１）には開口２１１が形成されている（図２（ａ）参照）。当該開口２１１は、底壁部分２１を上下に貫く貫通孔とみることもできる。下皿貯留空間１０Ｓの底面２０Ｍは当該開口２１１に向かって下るように僅かに傾斜している。したがって、開口２１１が開放されているときには、下皿貯留空間１０Ｓ内の遊技球は当該開口２１１を通じて下皿貯留空間１０Ｓ外に移動することになる。一般的には当該開口２１１の下側にはいわゆるドル箱や拡大計数機（遊技球を集める装置）等の外部装置が設置されることになるため、大当たり等により多くの遊技球を獲得したとき（下皿貯留空間１０Ｓに多くの遊技球が集まったとき）には、遊技者は開口２１１を通じて上記外部装置に向かって遊技球が排出される。
【００２０】
開閉部３０は上記開口２１１を開閉する部材（本体部２０に支持された部材）であって、開口２１１を開放（開口２１１を遊技球が通過できる状態のことをいう）する開位置と、開口２１１を閉鎖（開口２１１を遊技球が通過できない状態のことをいう）する閉位置との間を往復動作することが可能なものである。本実施形態における開閉部３０は、略水平方向に変位する。下皿装置１０の手前側（下皿貯留空間１０Ｓ外）には、遊技者が操作可能なレバー３１（図１参照）が設けられており、当該レバー３１を操作することで開閉部３０が開位置と閉位置との間を往復動作する。レバー３１から開閉部３０までの動力伝達機構はどのようなものであってもよいから説明を省略する。
【００２１】
本実施形態における開閉部３０は、最も右側の開位置と、最も左側の閉位置との間を往復動作することが可能である。本体部２０の底壁部分２１における開口２１１の左側には、段差が形成されている。断面で見て、底壁部分２１の開口２１１側の一部が他の部分に比して薄くなることで当該段差が形成される（当該薄くなった部分を段差部２１２と称する）。開閉部３０が閉位置に位置するときには、開閉部３０の一部が当該段差部２１２上に乗り上げた状態となり、開口２１１が閉鎖される（図２（ａ）参照）。
【００２２】
開閉部３０が閉位置に位置し、開口２１１が閉鎖された状態において、本体部２０の底面２０Ｍ（段差部２１２を除く部分）よりも、開閉部３０の上面３０Ｍの方が上方に位置する。本実施形態では、開閉部３０の上面３０Ｍは略水平であり、その全体が本体部２０の底面２０Ｍのいずれの箇所よりも上方に位置する（図２（ａ）参照）。
【００２３】
なお、本実施形態における開閉部３０は、開位置に位置するときには少なくとも一部が側壁部分２２に形成された収容空間内に収容された状態となり、閉位置に位置するときには当該収容空間から露出する。開閉部３０が閉位置に位置するときにおいては、下皿収容空間に面する遊技球が接触可能な面のうち、最も下方に位置する面は本体部２０の底面２０Ｍとなる。
【００２４】
下皿装置１０がこのように構成されていることの作用は以下の通りである。参考例として図２（ｂ）に示すように、開閉部１３０が閉位置に位置した状態において、本体部１２０の底面１２０Ｍよりも、開閉部１３０の上面１３０Ｍの方が下方に位置している構成を想定する。このような構成である場合には、開閉部１３０の上面１３０Ｍの上に乗り上げた遊技球が、それよりも上に位置する本体部１２０の底面１２０Ｍ側に移動しにくくなる。そのため、遊技者が下皿貯留空間１１０Ｓから遊技球を取り出そうとする際、開閉部１３０の上面１３０Ｍに乗り上げた遊技球が取り出しにくいという状況が生じる。
【００２５】
一方、本実施形態における下皿装置１０は、本体部２０の底面２０Ｍよりも開閉部３０の上面３０Ｍの方が高いため、上記参考例のように、開閉部３０の上面３０Ｍに乗り上げた遊技球が本体部２０の底面２０Ｍ側に移動しにくいといった状況は生じにくい（そもそも、下皿貯留空間１０Ｓ内に存在する遊技球の数が少ないときには、開閉部３０の上面３０Ｍに遊技球が乗り上げた状態となりにくい）（図２（ａ）参照）。したがって、遊技者が差し入れ口２３を通じて下皿貯留空間１０Ｓから遊技球を取り出すことが容易になる。
【００２６】
なお、開閉部３０が閉位置に位置する状態においては、開閉部３０の上面３０Ｍと本体部２０の底面２０Ｍとの間の隙間には遊技球が入り込まないように設定されている。すなわち、開閉部３０が閉位置に位置する状態においては、段差部２１２に遊技球が接触しないように設定されている。
【００２７】
以下、上記実施形態にかかる遊技機１を改良、変形、具体化等した具体例について説明する。なお、可能であれば、以下の具体例を用いて説明する技術的事項を複数組み合わせて適用した構成としてもよい。
【００２８】
○第一具体例
上記実施形態の下皿装置１０における構造を、上皿装置７０に適用した構成としてもよい。すなわち、遊技球が貯留される空間に面する底面２０Ｍ（本体部２０の底面２０Ｍ）に形成される開口２１１が、開閉部３０により開閉される上皿装置７０とする場合、当該底面２０Ｍと開閉部３０の上面３０Ｍの位置関係を上記実施形態における下皿装置１０と同様にすればよい。
【００２９】
○第二具体例
上記実施形態における下皿装置１０は、開閉部３０の上面３０Ｍの全体が、本体部２０の底面２０Ｍよりも上方に位置する構造であることを説明したが、開閉部３０の上面３０Ｍの一部分が、本体部２０の底面２０Ｍよりも上方に位置する構造であってもよい。このような構造としても、開閉部３０の上面３０Ｍの一部分（本体部２０の底面２０Ｍよりも上方に位置する部分）には遊技球が乗り上げた状態となりにくいのであるから、従来に比して下皿貯留空間１０Ｓから遊技球を取り出すことが容易になるといえる。ただし、上記実施形態のように、開閉部３０の上面３０Ｍの全体が、本体部２０の底面２０Ｍよりも上方に位置する構造とした方が、（一部分のみ本体部２０の底面２０Ｍよりも上方に位置する構造としたものよりも）開閉部３０に遊技球が乗り上げた状態になりにくく好ましいといえる。
【００３０】
○第三具体例
開閉部３０の上面３０Ｍが、水平面に対して傾斜した傾斜面３０１を含む構成とする（図３参照）。なお、ここでいう傾斜面３０１とは、「平面」（断面で見て「直線」）に限定されない。端部に向かって単調に下方に向かうような面であれば「曲面」（断面で見て「曲線」）であってもよい。このように、開閉部３０の上面３０Ｍに傾斜面３０１が含まれるようにすることで、開閉部３０の上に遊技球が乗り上げた状態となったままとなりにくい。つまり、開閉部３０の上に遊技球が乗り上げたとしても、傾斜面３０１の作用により（重力により）遊技球が開閉部３０の上に留まらずに本体部２０の底面２０Ｍに移動することになる。
【００３１】
また、下皿貯留空間１０Ｓ内の遊技球数が多くなったときには、一部の遊技球は開閉部３０の上に乗り上げようとするところ、傾斜面３０１を通じて当該遊技球の乗り上げが円滑になされる（開閉部３０の端部での遊技球の引っ掛かりが生じにくい）という作用も生じる。なお、当該作用を高めるためには、開閉部３０の上面３０Ｍの最も低い部分（図３においてＸ１で示す）と、本体部２０の底面２０Ｍの開閉部３０側の端部（図３においてＸ２で示す）の高さが略同じであるとよい。
【００３２】
図３に示した構造は、開閉部３０の上面３０Ｍの一部を傾斜面３０１とし、他の一部を略水平な面としたものであるが、開閉部３０の上面３０Ｍの全体を傾斜面３０１としても（略水平な面が存在しないようにしても）よい。このようにすることで、開閉部３０の上に遊技球が乗り上げた状態のままとなってしまう状況はほぼ発生しなくなる。ただし、開閉部３０の上面３０Ｍの一部を傾斜面３０１としても、その分略水平な面が小さくなるということであるから、開閉部３０の上（略水平な面）に遊技球が乗り上げた状態のままとなってしまう状況の発生が抑制されることになる。また、図３に示した構造のように、開閉部３０の上面３０Ｍの一部を傾斜面３０１とし、他の一部を略水平な面とすれば、開閉部３０に鋭利な部分（鋭い角）が存在せず、安全性に優れるという利点もある。
【００３３】
また、本例は、開閉部３０に一の傾斜面３０１が形成されたものであるが、複数の傾斜面３０１が形成された構成としてもよい。複数の傾斜面３０１を形成し、開閉部３０の上面３０Ｍに略水平な部分が存在しない構成とすれば、開閉部３０の上に遊技球が乗り上げた状態となってしまうことが防止される。
【００３４】
なお、上記第二具体例にて説明したように、開閉部３０の上面３０Ｍの一部分が本体部２０の底面２０Ｍよりも上方に位置する構造とするのであれば、開閉部３０の上面３０Ｍにおける本体部２０の底面２０Ｍよりも上方に位置する部分が傾斜面３０１を含むものとすればよい。
【００３５】
○第四具体例（第三具体例をより具体化した例）
差し入れ口２３と傾斜面３０１の関係を以下のようにする。傾斜面３０１は、左右方向の一方側に向かって傾斜している。例えば、左側に向かって傾斜しているものとする。このようにすることで、傾斜面３０１の作用により遊技球が開閉部３０の左側に向かうように移動しやすくなる。すなわち、開閉部３０の左側に遊技球が集まりやすくなる。このような実情を踏まえ、差し入れ口２３を本体部２０の左側に形成する。具体的には、左右方向で見て、開閉部３０の左側（開閉部３０を左右方向に二分する線Ｌよりも左側）に存在する範囲の方が、右側（開閉部３０を左右方向に二分する線Ｌよりも右側）に存在する範囲よりも大きくなるように差し入れ口２３を形成する。
【００３６】
差し入れ口２３は、遊技者が下皿貯留空間１０Ｓに手を差し入れるために開放された部分であるため、差し入れ口２３を通じた遊技球の取り出しやすさを考慮すれば当該差し入れ口２３が形成された側に遊技球が存在することが好ましい。本実施形態では傾斜面３０１の作用により、差し入れ口２３が形成された側に遊技球が集まりやすくなるため、差し入れ口２３を通じて遊技球が取り出しやすい。
【００３７】
○第五具体例
上記実施形態における開閉部３０は、略水平方向に変位するものであることを説明したが、本体部２０に形成された開口２１１を開放する開位置および閉鎖する閉位置に位置することが可能なものであればその変位の態様はどのようなものであってもよい。上記実施形態にて説明した構造は、遊技者が差し入れ口２３を通じて下皿貯留空間１０Ｓから遊技球を取り出すことを容易にするためのものであるから、下皿貯留空間１０Ｓに遊技球が貯留される状態、すなわち開閉部３０が閉位置に位置する状態にて、開閉部３０の上面３０Ｍが本体部２０の底面２０Ｍよりも上方に位置するような構造とすればよい。
【００３８】
上記実施形態から得られる具体的手段（遊技機）を以下に列挙する。
【００３９】
・手段１
遊技球を貯留する遊技球貯留空間を形成する部分であって、底面に遊技球が通過する開口が形成された本体部と、前記開口を開閉する開閉部と、を備え、前記開閉部により前記開口が閉鎖された状態において、前記開閉部の上面の少なくとも一部は、前記本体部の底面よりも上方に位置することを特徴とする遊技機。
上記実施形態にかかる遊技機によれば、開閉部の上に遊技球が乗り上げた状態となりにくいから、遊技球貯留空間に貯留された遊技球が取り出しやすい。
【００４０】
・手段２
前記開閉部の上面における前記本体部の底面よりも上方に位置する部分は、水平面に対して傾斜した傾斜面を含むことを特徴とする手段１に記載の遊技機。
このような構成とすることで、開閉部の上に乗り上げようとする遊技球が、傾斜面により本体部の底面側に移動することになる。
【００４１】
・手段３
前記本体部には、遊技者が前記遊技球貯留空間に手を差し入れるための差し入れ口が形成されており、前記傾斜面は、前記差し入れ口が形成された側に向かって下るように傾斜した形状を呈することを特徴とする手段２に記載の遊技機。
このような構成とすることで、差し入れ口が形成された側に遊技球が集まりやすくなるため、差し入れ口を通じて遊技球が取り出しやすくなる。
【符号の説明】
【００４２】
１  遊技機
１０  下皿装置
１０Ｓ  下皿貯留空間
２０  本体部
２１  底壁部分
２１１  開口
２０Ｍ  （本体部の）底面
２２  側壁部分
２３  差し入れ口
３０  開閉部
３０Ｍ  （開閉部の）上面
３０１  傾斜面
【図１】
2020116213.tif 000003
【図２】
2020116213.tif 000004
【図３】
2020116213.tif 000005
【図４】
2020116213.tif 000006